(57)【特許請求の範囲】
【請求項１】
鏡胴をカメラ本体側に接続するためのマウントリングと、
このマウントリングに対し３６０度の回転が可能な状態で、かつフリクションバネにより固定状態となるように取り付けられた上記鏡胴の支持筒と、
上記鏡胴内のレンズをフォーカス操作するためのフォーカスリングと、
このフォーカスリングを上記マウントリングに固定するための固定手段と、
上記フォーカスリングを上記支持筒に対し所定の回転位置で係合させるストッパと、を含み、
上記の固定手段及びストッパにより支持筒をマウントリングに固定した状態で、このマウントリングをカメラ本体へ接続すると共に、上記固定手段によるフォーカスリングとマウントリングの固定状態を解除したとき、上記支持筒をマウントリングに対して３６０度の回転が可能になるようにしたマウント位置変換可能なレンズ鏡胴。
【発明の詳細な説明】
【０００１】
【発明の属する技術分野】
本発明はレンズ鏡胴、特にカメラ本体に着脱自在とされたレンズ鏡胴の回転方向の取付け位置を変換することができる鏡胴の構成に関する。
【０００２】
【従来の技術】
カメラの前側に着脱自在に取り付けられるレンズ鏡胴では、自動絞り機構等を電気的に動作させる等のため、電気ケーブルが鏡胴外周から外へ配線されていたり、或いは円筒状の鏡胴の外周の一部に突出して設けられた部分が存在する場合があり、このような場合において、電気ケーブルや突出部分を任意の位置に移動させるために、レンズ鏡胴自体の回転方向の取付け位置を変換する機構が設けられている。
【０００３】
図３には、この種のレンズ鏡胴の構成が示されており、図のレンズ鏡胴１はカメラ本体２へ取り付けられる。このレンズ鏡胴１には、ネジ部３Ａを形成したマウントリング３が設けられ、このネジ部３Ａをカメラ本体２側に螺合結合することにより、レンズ鏡胴１が取り付けられる。このマウントリング３の内側には、回転自在となってマウントスリップ機能を果たすための連結筒４が設けられ、この連結筒４に対し前後のスライドが可能で、回転が規制された状態の支持筒（鏡胴本体）５が配置されており、この支持筒５によりレンズ群６が支持される。上記連結筒４は、上記マウントリング３に対しフリクションバネ７を介して取り付けられ、回転可能に取り付けられる連結筒４及び支持筒５は、このフリクションバネ７により生じる接触面の摩擦力によって任意の位置でマウントリング３に固定される。
【０００４】
また、上記マウントリング３の前側に、フォーカスリング８が配置されており、このフォーカスリング８は内側の螺合部Ｃ1 で支持筒５の外周と螺合結合される。このフォーカスリング８の回転により、レンズ群６を支持する支持筒５が前後へ移動することになり、これによって合焦位置へレンズ群６をセットするフォーカス制御が可能となる。なお、レンズ鏡胴１の前側上部には、自動絞り機構のモータ駆動部９が突出して配置される。
【０００５】
一方、上記マウントリング３と上記連結筒４との間には、カメラ本体２に対するレンズ鏡胴１の着脱を容易とするために、図４に示されるスリップロック機構が設けられる。即ち図４には、図３のＩ−Ｉ線の断面が示されており、図のマウントリング３と連結筒４との間に設けられた隙間において、マウントリング３の外周に突起（ストッパ）１１Ａ、支持筒５の外周に突起（ストッパ）１１Ｂが形成されている。このスリップロック機構によれば、連結筒４及び支持筒５の左右の回転において突起１１Ｂが突起１１Ａに当ることにより、これら連結筒４及び支持筒５が所定の位置でロックできることになる。
【０００６】
このようなレンズ鏡胴１によれば、カメラ本体２側に取り付けられたマウントリング３に対し、連結筒４及びレンズ群６の支持筒５が所定角度回転できることになり、このマウントスリップ機能により、レンズ鏡胴１を任意の回転位置で固定状態とし、不図示の電気ケーブルや図２の突出したモータ駆動部９の位置を最適な場所に配置することが可能となる。
【０００７】
また、図４のスリップロック機構によれば、例えば図４の状態からレンズ鏡胴１（支持筒５）を全体的に左回転させることにより、マウントリング３のネジ部３Ａの螺合結合が解除され、レンズ鏡胴１をカメラ本体２から容易に取り外すことができる。逆に、レンズ鏡胴１を右回転させれば、ネジ部３Ａがカメラ本体２へ螺合結合され、これによりレンズ鏡胴１をカメラ本体２へ容易に取り付けることができる。このようなストリップロック機構によれば、マウントリング３の幅を小さくすることができると共に、レンズ鏡胴１の全体を持ちながら行う操作により、着脱が容易になるという利点がある。
【０００８】
【発明が解決しようとする課題】
しかしながら、上記従来のレンズ鏡胴１では、上記図４で示したように、着脱を可能又は容易とするためのストリップロック機構として突起１１Ａ，１１Ｂを設けており、この突起１１Ａ，１１Ｂの存在により、レンズ鏡胴１を３６０度の全周に渡って回転させることができず、カメラ本体２に対し、電気ケーブルや突出部分を必ずしも良好な位置にセットすることができないという問題があった
【０００９】
また、監視カメラ等として利用する場合においては、上記フォーカスリング８で一旦フォーカス調整した後は、その状態を長期間に渡って維持することが必要となり、、フォーカスリング８の設定状態を確実に固定できれば、合焦位置の狂いを調整する定期的な作業が軽減されることになる。
【００１０】
本発明は上記問題点に鑑みてなされたものであり、その目的は、マウントスリップの回転位置を３６０度の全範囲で変換できるようにした上で、鏡胴を取り外す際のスリップロック機構を備え、またフォーカスリングの確実な固定が可能となるマウント位置変換可能なレンズ鏡胴を提供することにある。
【００１１】
【課題を解決するための手段】
上記目的を達成するために、本発明に係るマウント位置変換可能なレンズ鏡胴は、鏡胴をカメラ本体側に接続するためのマウントリングと、このマウントリングに対し３６０度の回転が可能な状態で、かつフリクションバネにより固定状態となるように取り付けられた上記鏡胴の支持筒と、上記鏡胴内のレンズをフォーカス操作するためのフォーカスリングと、このフォーカスリングを上記マウントリングに固定するための固定手段と、上記フォーカスリングを上記支持筒に対し所定の回転位置で係合させるストッパと、を含み、上記の固定手段及びストッパにより支持筒をマウントリングに固定した状態で、このマウントリングをカメラ本体へ接続すると共に、上記固定手段によるフォーカスリングとマウントリングの固定状態を解除したとき、上記支持筒をマウントリングに対して３６０度の回転が可能になるようにしたことを特徴とする。
【００１２】
上記の構成によれば、上記固定手段として、例えばネジ締め固定式のロックツマミが設けられ、このロックツマミで支持筒とマウントリングを強固に固定することができる。これにより、従来で用いられていた突起ストッパを採用することなく、カメラ本体に対するレンズ鏡胴の着脱が可能となる。従って、３６０度の全範囲でマウントスリップが可能となり、レンズ鏡胴の回転位置（姿勢合せ）を自由に設定できることになる。
【００１３】
また、例えば上記ロックツマミを操作することにより、フォーカスリングが同時に固定でき、合焦位置を長期間に渡って確実に維持することが可能となる。
【００１４】
【発明の実施の形態】
図１には、実施形態の一例であるマウント位置変換可能なレンズ鏡胴の構成が示されている。図において、レンズ鏡胴１４には、図３の場合と同様に、カメラ本体側へ接続するためのネジ部１５Ａを形成したマウントリング１５が設けられる。このマウントリング１５の内側に、回転自在となるように連結筒１６が設けられ、この連結筒１６に前後移動可能に支持筒（鏡胴本体）１７が取り付けられる。この支持筒１７は、その溝１７Ａに連結筒１６の凸部１６Ａを係合させることにより、回転が規制された状態で前後移動が可能となる。
【００１５】
この支持筒１７に、複数のレンズからなるレンズ群１８が取付け支持され、レンズ群１８の中間部に絞り（羽根）２０が配置されると共に、この絞り２０にはこれを自動的に開閉するためのモータ駆動部２１が接続される。このモータ駆動部２１は、図示のようにレンズ鏡胴１４の外周部に突出して配置され、このモータ駆動部２１に対し、駆動電力等を供給するためのケーブルが図示していないが適当な位置に接続配置される。
【００１６】
また、上記連結筒１６は、上記マウントリング１５に対しフリクションバネ２３を介して取り付けられ、このフリクションバネ２３は連結筒１６を後側に付勢しており、このフリクションバネ２３によって部材間、特に接触面１００で生じる摩擦力により、上記の連結筒１６及び支持筒１７が任意の位置でマウントリング１５に固定される。そして、この連結筒１６と支持筒１７との間には、図３で示したストリップロック機構である突起ストッパは設けられておらず、３６０度（又はそれ以上）の回転ができる状態となっている。
【００１７】
更に、上記マウントリング１５の前側に、フォーカスリング２４が配置されており、このフォーカスリング２４の内側部材と上記支持筒１７の外周が、螺合部Ｃ2 で結合され、このフォーカスリング２４を回転させれば、レンズ群１８と共に支持筒１７が前後へ移動するようになっている。
【００１８】
図２には、上記フォーカスリング２４と連結筒１６との接合部の構成が示されており、図示されるように、上記フォーカスリング２４と連結筒１６には、その向い合う面に例えば１２０度毎にストッパの役割をする突起２４Ａ及び突起１６Ｂが形成される。従って、この突起２４Ａと突起１６Ｂが係合することにより、フォーカスリング２４は連結筒１６に対し１２０度の範囲でしか回転せず、この範囲でフォーカス動作を実行することになる。なお、この連結筒１６と支持筒１７の後端部円板２５との間には、板バネ２６が配置され、この支持筒１７を後側へ付勢することにより、上記のフォーカスリング２４が前側へ移動しないようになっている。
【００１９】
このようなレンズ鏡胴１４において、上記マウントリング１５とフォーカスリング２４は、図示のように、所定の長さで互いに重なるように形成・配置され、フォーカスリング２４には外周から内周へ貫通するネジ孔２７が形成される。そして、このネジ孔２７に螺合するネジ部を有するロックツマミ２８が設けられ、このロックツマミ２８はその底面部がマウントリング１５の外周に当接する位置まで配置される。従って、このロックツマミ２８を回して締め付けることにより、フォーカスリング２４をマウントリング１５に強固に固定することができる。
【００２０】
実施形態例は以上の構成からなり、上記のレンズ鏡胴１４をカメラ本体に取り付ける時には、上記ロックツマミ２８を回しながら締め付けて、フォーカスリング２４をマウントリング１５にしっかりと固定することになり、この状態で支持筒１７がマウントリング１５に強固に固定され、ロックされる。即ち、この状態では、図２で示した１２０度の範囲で、連結筒１６はフォーカスリング２４に対して回転することになるが、突起２４Ａと突起１６Ｂの係合により連結筒１６がフォーカスリング２４に対して固定状態となることにより、連結筒１６が上記マウントリング１５に対して固定状態となる。
【００２１】
従って、この状態でレンズ鏡胴１４を持ちながら、回転させることにより、マウントリング１５のネジ部１５Ａをカメラ本体側へ螺合結合して、レンズ鏡胴１４をカメラ本体に取り付けることができる。また、このレンズ鏡胴１４を持ちながら逆回転させることにより、上記の螺合結合を解除して、レンズ鏡胴１４を容易に取り外すことができる。そうして、このレンズ鏡胴１４が取り付けられた後では、ロックツマミ２８による固定状態を解除すれば、連結筒１６及び支持体１７をマウントリング１５に対して回転でき、ケーブル等の位置を３６０度の範囲の任意の位置に設定することが可能となる。
【００２２】
一方、上記レンズ鏡胴１４を用いた撮影では、上記フォーカスリング２４を回転して支持筒１７及びレンズ群１８を前後に移動させることにより、ピント合せが行われる。そして、このピント合せの設定状態は、上記フォーカスリング２４をロックツマミ２８で固定して維持することができる。これは、監視カメラ等で合焦状態を長期間維持する場合に有用となり、定期的な調整等が不要となる。
【００２３】
上記実施形態例では、上記マウントリング１５とフォーカスリング２４の固定手段として、ネジ締め固定式のロックツマミ２８を設けたが、ネジ式以外の固定構造を固定手段として用いることができる。
【００２４】
【発明の効果】
以上説明したように、本発明によれば、マウントリングに対し３６０度の回転が可能な状態で、かつフリクションバネにより固定状態となるように支持筒を取り付け、この支持筒とマウントリングを例えばネジ締め固定式のロックツマミで強固に固定できるようにしたので、マウントスリップ機能の回転位置を３６０度の全範囲で変換でき、従ってレンズ鏡胴の姿勢合せが容易となり、電気ケーブルや突出部を操作し易い位置に配置することが可能となる。
【００２５】
また、上記固定手段により、フォーカスリングも同時に固定するようにしたので、ピントが合う設定状態を長期間に渡って確実に維持することが可能となる。しかも、一つの固定手段の操作でマウントリングのスリップロックとフォーカスリングのロックの両動作が実行できるという利点がある。
【図面の簡単な説明】
【図１】本発明の実施形態例に係るマウント位置変換可能なレンズ鏡胴の構成を示す断面図である。
【図２】図１の連結筒とフォーカスリングの接合部を外周側から見た展開図である。
【図３】従来のマウント位置変換可能なレンズ鏡胴の構成を示す断面図である。
【図４】図２のＩ−Ｉ線で切断した断面を示す図である。
【符号の説明】
１，１４  …  レンズ鏡胴、
３，１５  …  マウントリング、
４，１６  …  連結筒、
５，１７  …  支持筒、
７，２３  …  フリクションバネ、
８，２４  …  フォーカスリング、
２８  …  ロックツマミ。
【図１】
0003681469.tif 000002
【図２】
0003681469.tif 000003
【図３】
0003681469.tif 000004
【図４】
0003681469.tif 000005